【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
線画を彩色処理する線画処理装置であって、
線画データを取得する取得手段と、
前記線画データに含まれる線画の線切れ状態を補正することによって、補正画像データを生成する線切補正手段と、
前記線画データおよび前記補正画像データのうちのいずれかにつき、彩色を行うべき領域に、操作入力に基づいて指定領域を設定する指定領域設定手段と、
前記線画データおよび前記補正画像データにつき、前記指定領域を構成する各単位閉領域の中に識別点を設定する識別点設定手段と、
画面全体のうちの前記識別点に連なる連続領域を特定色で彩色する領域彩色手段と、
前記線画データと前記補正画像データとについて、画面全体のうちの前記識別点に連なる連続領域と、前記画面全体から前記連続領域を除いた残余領域とを相互に識別した第１識別データと第２識別データとをそれぞれ生成する連続領域識別手段と、
前記第１識別データと前記第２識別データとのそれぞれの前記連続領域の差分領域を求め、前記差分領域に含まれる１以上の閉領域を、前記補正画像データから抽出する領域抽出手段と、
前記１以上の閉領域のそれぞれについて、彩色の要否を所定の判定基準に基づいて判定する判定手段と、
を備え、
前記領域彩色手段は、
前記１以上の閉領域のうちの前記判定手段によって彩色が必要と判定された閉領域と、前記第２識別データで識別されている連続領域とを同一の特定色で彩色することを特徴とする線画処理装置。
【請求項２】
請求項１に記載の線画処理装置であって、
前記連続領域識別手段は、
前記線画データと前記補正画像データとについて、前記連続領域をそれぞれ彩色することによって、前記残余領域から識別することを特徴とする線画処理装置。
【請求項３】
請求項１または２に記載の線画処理装置であって、
前記判定手段は、
前記第２識別データで識別された連続領域の面積と前記１以上の閉領域のそれぞれの面積との比較に基づいて、前記彩色の要否を判定することを特徴とする線画処理装置。
【請求項４】
請求項１ないし３のいずれかに記載の線画処理装置であって、
前記指定領域設定手段は、
前記特定色の曲線により規定された指定領域を設定することを特徴とする線画処理装置。
【請求項５】
請求項１ないし４のいずれかに記載の線画処理装置であって、
前記識別点設定手段は、
前記指定領域を規定する曲線と、前記指定領域内に含まれる描画線とで規定される各閉領域を前記単位閉領域として、前記単位閉領域ごとの重心点を識別点に設定することを特徴とする線画処理装置。
【請求項６】
請求項１ないし５のいずれかに記載の線画処理装置であって、
前記識別点設定手段は、
前記指定領域をさらに複数の領域に分割し、前記複数の領域のそれぞれに識別点を設定することを特徴とする線画処理装置。
【請求項７】
請求項１ないし６のいずれかに記載の線画処理装置であって、
前記識別点設定手段は、
前記指定領域のうちの所定の方向に偏った部分領域を指定する部分領域指定手段、
を含み、
前記識別点設定手段は、
前記部分領域に識別点を設定することを特徴とする線画処理装置。
【請求項８】
請求項１ないし７のいずれかに記載の線画処理装置であって、
前記線切補正手段は、
前記線画データにおける描画線を所定の割合で膨張処理する膨張処理手段、
を含むことを特徴とする線画処理装置。
【請求項９】
情報処理装置を使って線画を彩色処理する線画処理方法であって、前記情報処理装置が、
(a) 線画データを取得する工程と、
(b) 前記線画データに含まれる線画の線切れ状態を補正することによって、補正画像データを生成する工程と、
(c) 前記線画データおよび前記補正画像データのうちのいずれかにつき、彩色を行うべき領域に、操作入力に基づいて指定領域を設定する工程と、
(d) 前記線画データおよび前記補正画像データにつき、前記(c)工程にて設定した前記指定領域を構成する各単位閉領域の中に識別点を設定する工程と、
(e) 画面全体のうちの前記識別点に連なる連続領域を特定色で彩色する工程と、
(f) 前記線画データと前記補正画像データとについて、画面全体のうちの前記識別点に連なる連続領域と、前記画面全体から前記連続領域を除いた残余領域とを相互に識別した第１識別データと第２識別データとをそれぞれ生成する工程と、
(g) 前記第１識別データと前記第２識別データとのそれぞれの前記連続領域の差分領域を求め、前記差分領域に含まれる１以上の閉領域を、前記補正画像データから抽出する工程と、
(h) 前記１以上の閉領域のそれぞれについて、彩色の要否を所定の判定基準に基づいて判定する工程と、
を含み、
前記(e)工程が、前記１以上の閉領域のうちの前記(h)工程において彩色が必要と判定された閉領域と、前記第２識別データで識別されている連続領域とを同一の特定色で彩色する工程であることを特徴とする線画処理方法。
【請求項１０】
コンピュータが読み取り可能なプログラムであって、
前記コンピュータが前記プログラムを読み取ることにより、前記コンピュータを、
線画データを取得する取得手段と、
前記線画データに含まれる線画の線切れ状態を補正することによって、補正画像データを生成する線切補正手段と、
前記線画データおよび前記補正画像データのうちのいずれかにつき、彩色を行うべき領域に、操作入力に基づいて指定領域を設定する指定領域設定手段と、
前記線画データおよび前記補正画像データにつき、前記指定領域を構成する各単位閉領域の中に識別点を設定する識別点設定手段と、
画面全体のうちの前記識別点に連なる連続領域を特定色で彩色する領域彩色手段と、
前記線画データと前記補正画像データとについて、画面全体のうちの前記識別点に連なる連続領域と、前記画面全体から前記連続領域を除いた残余領域とを相互に識別した第１識別データと第２識別データとをそれぞれ生成する連続領域識別手段と、
前記第１識別データと前記第２識別データとのそれぞれの前記連続領域の差分領域を求め、前記差分領域に含まれる１以上の閉領域を、前記補正画像データから抽出する領域抽出手段と、
前記１以上の閉領域のそれぞれについて、彩色の要否を所定の判定基準に基づいて判定する判定手段と、
を備え、
前記領域彩色手段は、
前記１以上の閉領域のうちの前記判定手段によって彩色が必要と判定された閉領域と、前記第２識別データで識別されている連続領域とを同一の特定色で彩色する線画処理装置として機能させることを特徴とするプログラム。
【手続補正２】
【補正対象書類名】明細書
【補正対象項目名】００１３
【補正方法】変更
【補正の内容】
【００１３】
上記の課題を解決するため、請求項１の発明は、線画を彩色処理する線画処理装置であって、線画データを取得する取得手段と、前記線画データに含まれる線画の線切れ状態を補正することによって、補正画像データを生成する線切補正手段と、前記線画データおよび前記補正画像データのうちのいずれかにつき、彩色を行うべき領域に、操作入力に基づいて指定領域を設定する指定領域設定手段と、前記線画データおよび前記補正画像データにつき、前記指定領域を構成する各単位閉領域の中に識別点を設定する識別点設定手段と、画面全体のうちの前記識別点に連なる連続領域を特定色で彩色する領域彩色手段と、前記線画データと前記補正画像データとについて、画面全体のうちの前記識別点に連なる連続領域と、前記画面全体から前記連続領域を除いた残余領域とを相互に識別した第１識別データと第２識別データとをそれぞれ生成する連続領域識別手段と、前記第１識別データと前記第２識別データとのそれぞれの前記連続領域の差分領域を求め、前記差分領域に含まれる１以上の閉領域を、前記補正画像データから抽出する領域抽出手段と、前記１以上の閉領域のそれぞれについて、彩色の要否を所定の判定基準に基づいて判定する判定手段と、を備え、前記領域彩色手段は、前記１以上の閉領域のうちの前記判定手段によって彩色が必要と判定された閉領域と、前記第２識別データで識別されている連続領域とを同一の特定色で彩色することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】変更
【補正の内容】
【００１５】
また、請求項２の発明は、請求項１の発明に係る線画処理装置であって、前記連続領域識別手段は、前記線画データと前記補正画像データとについて、前記連続領域をそれぞれ彩色することによって、前記残余領域から識別することを特徴とする。
【手続補正５】
【補正対象書類名】明細書
【補正対象項目名】００１６
【補正方法】変更
【補正の内容】
【００１６】
また、請求項３の発明は、請求項１または２の発明に係る線画処理装置であって、前記判定手段は、前記第２識別データで識別された連続領域の面積と前記１以上の閉領域のそれぞれの面積との比較に基づいて、前記彩色の要否を判定することを特徴とする。
【手続補正６】
【補正対象書類名】明細書
【補正対象項目名】００１７
【補正方法】変更
【補正の内容】
【００１７】
また、請求項４の発明は、請求項１ないし３のいずれかの発明に係る線画処理装置であって、前記指定領域設定手段は、前記特定色の曲線により規定された指定領域を設定することを特徴とする。
【手続補正７】
【補正対象書類名】明細書
【補正対象項目名】００１８
【補正方法】変更
【補正の内容】
【００１８】
また、請求項５の発明は、請求項１ないし４のいずれかの発明に係る線画処理装置であって、前記識別点設定手段は、前記指定領域を規定する曲線と、前記指定領域内に含まれる描画線とで規定される各閉領域を前記単位閉領域として、前記単位閉領域ごとの重心点を識別点に設定することを特徴とする。
【手続補正８】
【補正対象書類名】明細書
【補正対象項目名】００１９
【補正方法】変更
【補正の内容】
【００１９】
また、請求項６の発明は、請求項１ないし５のいずれかの発明に係る線画処理装置であって、前記識別点設定手段は、前記指定領域をさらに複数の領域に分割し、前記複数の領域のそれぞれに識別点を設定することを特徴とする。
【手続補正９】
【補正対象書類名】明細書
【補正対象項目名】００２０
【補正方法】変更
【補正の内容】
【００２０】
また、請求項７の発明は、請求項１ないし６のいずれかの発明に係る線画処理装置であって、前記識別点設定手段は、前記指定領域のうちの所定の方向に偏った部分領域を指定する部分領域指定手段、を含み、前記識別点設定手段は、前記部分領域に識別点を設定することを特徴とする。
【手続補正１０】
【補正対象書類名】明細書
【補正対象項目名】００２１
【補正方法】変更
【補正の内容】
【００２１】
また、請求項８の発明は、請求項１ないし７のいずれかの発明に係る線画処理装置であって、前記線切補正手段は、前記線画データにおける描画線を所定の割合で膨張処理する膨張処理手段、を含むことを特徴とする。
【手続補正１１】
【補正対象書類名】明細書
【補正対象項目名】００２２
【補正方法】変更
【補正の内容】
【００２２】
また、請求項９の発明は、情報処理装置を使って線画を彩色処理する線画処理方法であって、前記情報処理装置が、(a)線画データを取得する工程と、(b)前記線画データに含まれる線画の線切れ状態を補正することによって、補正画像データを生成する工程と、(c) 前記線画データおよび前記補正画像データのうちのいずれかにつき、彩色を行うべき領域に、操作入力に基づいて指定領域を設定する工程と、(d)前記線画データおよび前記補正画像データにつき、前記(c)工程にて設定した前記指定領域を構成する各単位閉領域の中に識別点を設定する工程と、(e)画面全体のうちの前記識別点に連なる連続領域を特定色で彩色する工程と、(f)前記線画データと前記補正画像データとについて、画面全体のうちの前記識別点に連なる連続領域と、前記画面全体から前記連続領域を除いた残余領域とを相互に識別した第１識別データと第２識別データとをそれぞれ生成する工程と、(g)前記第１識別データと前記第２識別データとのそれぞれの前記連続領域の差分領域を求め、前記差分領域に含まれる１以上の閉領域を、前記補正画像データから抽出する工程と、(h)前記１以上の閉領域のそれぞれについて、彩色の要否を所定の判定基準に基づいて判定する工程と、を含み、前記(e)工程が、前記１以上の閉領域のうちの前記(h)工程において彩色が必要と判定された閉領域と、前記第２識別データで識別されている連続領域とを同一の特定色で彩色する工程であることを特徴とする。
【手続補正１２】
【補正対象書類名】明細書
【補正対象項目名】００２３
【補正方法】変更
【補正の内容】
【００２３】
また、請求項１０の発明は、コンピュータが読み取り可能なプログラムであって、前記コンピュータが前記プログラムを読み取ることにより、前記コンピュータを、線画データを取得する取得手段と、前記線画データに含まれる線画の線切れ状態を補正することによって、補正画像データを生成する線切補正手段と、前記線画データおよび前記補正画像データのうちのいずれかにつき、彩色を行うべき領域に、操作入力に基づいて指定領域を設定する指定領域設定手段と、前記線画データおよび前記補正画像データにつき、前記指定領域を構成する各単位閉領域の中に識別点を設定する識別点設定手段と、画面全体のうちの前記識別点に連なる連続領域を特定色で彩色する領域彩色手段と、前記線画データと前記補正画像データとについて、画面全体のうちの前記識別点に連なる連続領域と、前記画面全体から前記連続領域を除いた残余領域とを相互に識別した第１識別データと第２識別データとをそれぞれ生成する連続領域識別手段と、前記第１識別データと前記第２識別データとのそれぞれの前記連続領域の差分領域を求め、前記差分領域に含まれる１以上の閉領域を、前記補正画像データから抽出する領域抽出手段と、前記１以上の閉領域のそれぞれについて、彩色の要否を所定の判定基準に基づいて判定する判定手段と、を備え、前記領域彩色手段は、前記１以上の閉領域のうちの前記判定手段によって彩色が必要と判定された閉領域と、前記第２識別データで識別されている連続領域とを同一の特定色で彩色する線画処理装置として機能させることを特徴とする。
【手続補正１３】
【補正対象書類名】明細書
【補正対象項目名】００２４
【補正方法】変更
【補正の内容】
【００２４】
請求項１ないし１０に記載の発明によれば、彩色範囲として含ませるべき領域（例えば、細かな複数の描画線等によって規定される比較的小さな小領域）の少なくとも一部をオペレータが指定する指定領域に含めることで、当該小領域を相対的に大きな領域と同様に彩色することが可能となる。また、細かな描画線を多数含む領域であっても、当該細かな描画線の隙間を彩色することができる。すなわち、簡便な操作入力によって、彩色処理を効率良く行うことができる。
また、線切れを有する線画と線切れ補正した補正画像とのそれぞれに基づいて、自動的に彩色すべき領域と彩色すべきでない領域と判定を行うため、彩色処理を高精度、かつ、高効率に行うことができる。
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】変更
【補正の内容】
【００２６】
また、請求項２に記載の発明によれば、特定色での彩色により連続領域を識別することによって、オペレータが処理過程や、色合いを確認しやすくなる。
【手続補正１６】
【補正対象書類名】明細書
【補正対象項目名】００２７
【補正方法】変更
【補正の内容】
【００２７】
また、請求項３に記載の発明によれば、面積に基づいて比較を行うため、容易に彩色の要否の判定を行うことができる。
【手続補正１７】
【補正対象書類名】明細書
【補正対象項目名】００２８
【補正方法】変更
【補正の内容】
【００２８】
また、請求項４に記載の発明によれば、線画を彩色する特定色で曲線によって閉領域を規定することで、オペレータは、容易に彩色する色を指定することができるとともに、領域彩色手段による彩色処理前に当該領域に適した色か否かを確認することが可能となる。
【手続補正１８】
【補正対象書類名】明細書
【補正対象項目名】００２９
【補正方法】変更
【補正の内容】
【００２９】
また、請求項５に記載の発明によれば、重心点の位置を識別点に設定することで、識別点を容易に設定することができる。
【手続補正１９】
【補正対象書類名】明細書
【補正対象項目名】００３０
【補正方法】変更
【補正の内容】
【００３０】
また、請求項６に記載の発明によれば、識別点が指定領域から外れることを防止することができる。したがって、確実に指定領域内部に彩色処理の基準となる基準点を設定することができるため、彩色処理精度を高めることができる。
【手続補正２０】
【補正対象書類名】明細書
【補正対象項目名】００３１
【補正方法】変更
【補正の内容】
【００３１】
また、請求項７に記載の発明によれば、識別点を設定すべき領域範囲をさらに絞り込むことができるため、彩色処理精度を高めることができる。
【手続補正２１】
【補正対象書類名】明細書
【補正対象項目名】００３２
【補正方法】変更
【補正の内容】
【００３２】
また、請求項８に記載の発明によれば、膨張処理することによって、線画の線切れ状態を容易に補正することができる。